(57)【要約】【課題】外部から適量の潤滑オイルが送り込まれることができる転がり軸受を提供すること。【解決手段】内輪１の外周面の軌道面１１の軸方向の少なくとも一方の側に、軸方向の外方から内方に行くにしたがって外径が大きくなる円錐外周面１２を形成する。上記円錐外周面１２に、撥油性部と、この撥油性部よりも撥油性が小さい非撥油性部とを形成する。【選択図】図１
2009281395.tif 000002
【特許請求の範囲】
【請求項１】
軌道面を有する外輪と、
軌道面を有する内輪と、
上記外輪の軌道面と、上記内輪の軌道面との間に配置された転動体と
を備え、
上記内輪の外周面は、上記内輪の軌道面の軸方向の少なくとも一方の側に、上記軸方向の外方から内方に行くにしたがって外径が大きくなるテーパ外周面を有し、
上記テーパ外周面は、撥油性部と、この撥油性部よりも撥油性が小さい非撥油性部とを有していることを特徴とする転がり軸受。
【請求項２】
請求項１に記載の転がり軸受において、
上記テーパ外周面の軸方向の断面において、上記撥油性部は、上記軸方向に互いに間隔をおいて位置する複数の部分からなることを特徴とする転がり軸受。
【発明の詳細な説明】
【技術分野】
【０００１】
本発明は、転がり軸受に関し、特に、工作機械の主軸を回転自在に支持するのに使用されれば好適な転がり軸受に関する。
【背景技術】
【０００２】
従来、転がり軸受としては、特開２００２−６１６５７号公報（特許文献１）に記載された転がり軸受がある。
【０００３】
この転がり軸受は、工作機械の主軸の外周面に設置されている。この転がり軸受は、内輪の外周面に軸方向の内方に行くにしたがって外径がしだいに大きくなるテーパ外周面部を設け、このテーパ外周面部に、オイルエアを供給して、転がり軸受の昇温の抑制や、上記主軸の低動力損失等を実現するようにしている。
【０００４】
上記従来の転がり軸受では、転がり軸受の低昇温や、上記主軸の低動力損失を実現できる一方、オイルエアが転がり軸受内を通過する際に、エアカーテン（内輪の高速回転に伴って発生する径方向の外方への気流の流れ）によって、適量の潤滑オイルが転がり軸受に送り込まれにくい。そして、このことに起因して、転動体とその軌道面とに、潤滑剤不足に起因する焼付きが発生することがある。
【特許文献１】特開２００２−６１６５７号公報（第１図）
【発明の開示】
【発明が解決しようとする課題】
【０００５】
そこで、この発明の課題は、外部から適量の潤滑オイルが送り込まれることができる転がり軸受を提供することにある。
【課題を解決するための手段】
【０００６】
この課題を解決するために、この発明の転がり軸受は、
軌道面を有する外輪と、
軌道面を有する内輪と、
上記外輪の軌道面と、上記内輪の軌道面との間に配置された転動体と
を備え、
上記内輪の外周面は、上記内輪の軌道面の軸方向の少なくとも一方の側に、上記軸方向の外方から内方に行くにしたがって外径が大きくなるテーパ外周面を有し、
上記テーパ外周面は、撥油性部と、この撥油性部よりも撥油性が小さい非撥油性部とを有していることを特徴としている。
【０００７】
本発明によれば、上記内輪の外周面が、内輪の軌道面の軸方向の少なくとも一方の側に、軸方向の外方から内方に行くにしたがって外径が大きくなるテーパ外周面を有しているから、内輪を回転軸に固定した場合に、外部からの潤滑オイルを、内輪の回転に伴う遠心力によって、軸方向の外方から内方に流動させることができて、潤滑オイルを、転動体および転動面に効率的に供給することができる。
【０００８】
また、本発明によれば、撥油性部と、この撥油性部よりも撥油性が小さい非撥油性部とを有しているから、外部からの潤滑オイルは、上記撥油性部では撥油されて軸方向内方への流れが加速される一方、上記非撥油性部では表面に付着して軸方向内方への流れが減速される。したがって、上記非撥油性部の減速効果によって、必要以上の潤滑オイルが軸方向内方へ流れ込むことを防止できるから、オイルの攪拌抵抗が過大になることがなく、このことから、この転がり軸受を工作機械に設置したとして、その工作機械のトルクを低減できると共に、その工作機械の加工精度が、転がり軸受の温度の過度の上昇によって低下することを防止することができる。
【０００９】
また、一実施形態では、
上記テーパ外周面の軸方向の断面において、上記撥油性部は、上記軸方向に互いに間隔をおいて位置する複数の部分からなっている。
【００１０】
上記実施形態によれば、上記テーパ外周面の軸方向の断面において、上記撥油性部は、上記軸方向に互いに間隔をおいて位置する複数の部分からなっているから、例えば、上記断面において、軸方向に隣接する上記撥油性部の間隔を調整することにより、転動体付近へ供給する潤滑オイルの量を容易に調整することができる。
【発明の効果】
【００１１】
本発明の転がり軸受によれば、外部から適量の潤滑オイルを送り込むことができて、転動体および軌道面の焼付きを抑制できると共に、転がり軸受の攪拌抵抗の増大に起因するトルクの増大や過度の温度上昇を防止することができる。
【発明を実施するための最良の形態】
【００１２】
以下、この発明を図示の形態により詳細に説明する。
【００１３】
図１は、本発明の転がり軸受の一実施形態であるアンギュラ玉軸受の軸方向の半断面図である。
【００１４】
このアンギュラ玉軸受（以下、単に玉軸受という）は、内輪１と、外輪２と、転動体としての複数の玉３とを有する。
【００１５】
上記内輪１は、工作機械の主軸（図示せず）の外周面に締まり嵌めにより外嵌されて固定されている。上記内輪１は、上記主軸の回転に伴って回転するようになっている。上記内輪１の外周面は、その外周面の軸方向の略中央に、軌道面としての軌道溝１１を有する。また、上記内輪１の外周面は、上記軌道溝１１の軸方向の一方の側に、軸方向の内方に行くにしたがって外径が大きくなるテーパ外周面の一例としての円錐外周面１２を有する。
【００１６】
上記外輪２は、工作機械のハウジング（図示せず）の内周面に隙間嵌めにより内嵌されて固定されている。上記外輪２は、その内周面の軸方向の中央部に、軌道面である軌道溝２１を有する。
【００１７】
上記複数の玉３は、内輪１の軌道溝１１と、外輪２の軌道溝２１との間に、保持器７によって保持された状態で、周方向に互いに間隔をおいて配置されている。
【００１８】
この玉軸受の内輪１と外輪２との間および内輪１の円錐外周面１２には、圧縮エア供給装置４０からオイルミストを含む圧縮エアが噴射されるようになっている。詳しくは、圧縮エア供給装置４０は、気体圧縮部（図示せず）と、気体圧縮部の吐出口に接続されているガス通路４１とを有し、ガス通路４１は、玉軸受の径方向に延在する径方向延在部を有している。上記径方向延在部からは、第１噴射ノズル４３および第２噴射ノズル４４が延びている。
【００１９】
上記第１噴射ノズル４３および第２噴射ノズル４４の夫々は、軸方向に延在し、第１噴射ノズル４３は、第２噴射ノズル４４よりも玉軸受の径方向の上方（外径側）に位置している。
【００２０】
上記第１噴射ノズル４３の噴射口は、外輪２と保持器７との間に向けられている一方、第２噴射ノズル４４の噴射口は、保持器７と内輪１との間に向けられている。上記圧縮エア供給装置４０は、第１噴射ノズル４３の噴射口および第２噴射ノズル４４の噴射口からオイルミストを含む圧縮エアを噴射するようになっている。
【００２１】
図２は、上記円錐外周面１２の一部を、径方向の上方から見たときの模式図である。
【００２２】
図２に示すように、上記円錐外周面１２は、複数のフッ素コーティングがされた領域である撥油性部６０を有する。上記各撥油性部６０は、帯状かつ環状で、内輪１の周方向に延在している。上記複数の撥油性部６０は、軸方向に互いに間隔をおいて位置している。換言すると、上記円錐外周面１２の軸方向の断面において、撥油性部６０は、軸方向に互いに間隔をおいて位置する複数の部分からなっている。
【００２３】
上記円錐外周面１２において、撥油性部６０以外の部分は、内輪１の材質、例えば、ＳＵＪ２（高炭素クロム軸受鋼）やＳＡＥ５２１０鋼がそのまま露出している。上記円錐外周面１２において、内輪１の材質がそのまま露出している部分、すなわち、撥油性部６０以外の部分は、撥油性部６０よりも撥油性が低い非撥油性部６１を構成している。
【００２４】
上記非撥油性部６１は、周方向に延在する帯状かつ環状の複数の部分からなる。上記複数の非撥油性部６１は、軸方向に互いに間隔をおいて配置されている。上記撥油性部６０と、非撥油性部６１とは、軸方向に交互に存在している。
【００２５】
上記構成において、工作機械の主軸の回転に伴って軸受の内輪１が回転すると、圧縮エア供給装置４０から所定時間毎にオイルミストを含む圧縮エアが、内輪１と外輪２との軸方向の一方の開口から玉軸受内に噴射されるようになっている。すなわち、工作機械が運転状態になると、微量なオイルが圧縮エアで玉軸受の軌道溝１１,２１周辺に搬送・噴射されるようになっており、軌道溝１１,２１をオイルエア潤滑するようになっている。
【００２６】
上記実施形態の玉軸受によれば、上記内輪１の外周面が、内輪１の軌道溝１１の軸方向の少なくとも一方の側に、軸方向の外方から内方に行くにしたがって外径が大きくなる円錐外周面１２を有しているから、外部からの潤滑オイルを、内輪１の回転に伴う遠心力によって、軸方向の外方から内方に流動させることができて、潤滑オイルを、玉３および軌道溝１１,２１に効率的に供給することができる。
【００２７】
また、上記実施形態の玉軸受によれば、上記円錐外周面１２が、撥油性部６０と、この撥油性部６０よりも撥油性が小さい非撥油性部６１とを有しているから、外部からの潤滑オイルは、撥油性部６０では撥油されて軸方向内方への流れが加速される一方、非撥油性部６１では表面に付着して軸方向内方への流れが減速される。したがって、上記非撥油性部６１での減速効果によって、必要以上の潤滑オイルが軸方向内方へ流れ込むことを防止できるから、オイルの攪拌抵抗が過大になることがなく、このことから、この転がり軸受が設置された工作機械のトルクを低減できると共に、その工作機械の加工精度が、玉軸受の温度の過度の上昇によって低下することを防止することができる。
【００２８】
また、上記実施形態の玉軸受によれば、上記円錐外周面１２の軸方向の断面において、撥油性部６０は、軸方向に互いに間隔をおいて位置する複数の部分からなっているから、上記断面において、軸方向に隣接する撥油性部６０の間隔を調整することにより、玉付近へ供給する潤滑オイルの量を容易に調整することができる。
【００２９】
尚、上記実施形態の玉軸受では、上記円錐外周面１２は、内輪１の軌道溝１１の軸方向の一方の側のみに形成されていたが、この発明では、軸方向の内方に行くにしたがって外径が大きくなるテーパ外周面を、内輪の軌道面の軸方向の両側に形成しても良い。そして、二つのテーパ外周面のうちの少なくとも一方に、撥油性部と、非撥油性部とを形成しても良い。
【００３０】
また、上記実施形態の玉軸受では、上記円錐外周面１２が形成された転がり軸受が、アンギュラ玉軸受であったが、この発明では、テーパ外周面が形成された転がり軸受は、深溝玉軸受等のアンギュラ玉軸受以外の玉軸受であっても良い。また、内輪の軌道面の軸方向の一方側または両側に、軸方向の内方に行くにしたがって外径が大きくなるテーパ外周面が形成された転がり軸受は、円筒ころ軸受や円錐ころ軸受等の玉軸受以外の転がり軸受であっても良い。
【００３１】
また、上記実施形態の玉軸受では、テーパ外周面は、円錐外周面１２であったが、テーパ外周面は、軸方向の内方に行くにしたがって外径が大きくなる形状であれば如何なる形状であっても良い。
【００３２】
また、本発明では、複数の環状かつ帯状の撥油性部６０において、帯の幅は、全て同一であっても、帯の幅が異なる撥油性部が二つ以上存在しても、どちらでも良い。また、複数の環状かつ帯状の撥油性部６０において、軸方向に隣接する撥油性部の軸方向の間隔は、全て同一であっても、複数の環状かつ帯状の撥油性部６０において、軸方向に隣接する撥油性部の軸方向の間隔が、二つ以上の異なる間隔を有していてもどちらでも良い。例えば、軸方向の外方から軸方向の内方に行くにしたがって、撥油性部の帯の長さおよび軸方向の間隔の両方を徐々に小さくすると、潤滑オイルが軸方向の軌道面側に行くにしたがって、潤滑オイルをより適切に制動することができて、適量かつ適切な速度の潤滑オイルを軌道面に供給することができる。
【００３３】
また、上記実施形態の玉軸受では、複数の環状かつ帯状の撥油性部６０を、円錐外周面１２に、軸方向に互いに間隔をおいて配置したが、この発明では、内輪のテーパ外周面に位置する撥油性部は、周方向に延在する帯状形状でなくても良く、例えば、次の図３や図４に示す形状であっても良い。
【００３４】
図３は、変形例の玉軸受における図２に対応する模式図である。
【００３５】
尚、図３において、７０は、撥油性部を示し、７１は、非撥油性部を示す。
【００３６】
図３に示すように、この発明では、内輪の円錐外周面１１２に位置する撥油性部７０は、軸方向に間隔をおいて配置された複数の部分からなり、各部分は、周方向の複数箇所に角部を軌道溝１１側に向けた略く字状の形状を有しても良い。
【００３７】
また、図４は、更なる変形例の玉軸受における図２に対応する模式図である。
【００３８】
尚、図４において、８０は、撥油性部を示し、８１は、非撥油性部を示す。
【００３９】
図４に示すように、この発明では、内輪の円錐外周面２１２に位置する撥油性部８０は、周方向に複列に配置されると共に軸方向にも複列に配置された複数の部分からなり、各部分は、環状でない帯状形状を有していても良い。
【００４０】
また、この発明では、内輪の円錐外周面に位置する撥油性部は、一以上の螺旋（図示せず）からなっていても良い。要は、この発明では、内輪の円錐外周面は、撥油性部と、この撥油性部よりも撥油性が小さい非撥油性部とを有していれば、撥油性部の形状は、如何なる形状であっても良い。
【図面の簡単な説明】
【００４１】
【図１】本発明の転がり軸受の一実施形態であるアンギュラ玉軸受の軸方向の半断面図である。
【図２】上記実施形態のアンギュラ玉軸受の内輪の円錐外周面の一部を、径方向の上方から見たときの模式図である。
【図３】変形例の玉軸受における図２に対応する模式図である。
【図４】更なる変形例の玉軸受における図２に対応する模式図である。
【符号の説明】
【００４２】
１  内輪
２  外輪
３  玉
１１  内輪の軌道溝
１２,１１２,２１２  円錐外周面
２２  外輪の軌道溝
６０,７０,８０  撥油性部
６１,７１,８１  非撥油性部
【図１】
2009281395.tif 000003
【図２】
2009281395.tif 000004
【図３】
2009281395.tif 000005
【図４】
2009281395.tif 000006